Podtech/llm-jp-corpus-v4-ja_patent huggingface dataset:
(57)【要約】      （修正有）【課題】目標達成まである程度の長い期間が必要な場合であっても、目標を可視化して目標達成までの道程を明らかにし、目標達成を支援することができる複数暦年カレンダーを提供する。【解決手段】複数暦年カレンダー１は、複数年を掛けて達成する目標を記入する１以上の目標記入部１０と、一の軸方向に年の順に配置し、該一の軸方向と直交する方向に月の配置した、複数の暦年に渡る月日を月毎に記したカレンダー部２０と、前記目標記入部及び前記カレンダー部の使用方法を記した説明部３０と、を備える。さらに、前記カレンダー部に記された各月のカレンダー下部には、前記目標記入部に記入される目標と関連する事項を記入するための余白４０を設ける。【選択図】図１
0003165899.tif 000002
【実用新案登録請求の範囲】
【請求項１】
複数年を掛けて達成する目標を記入する１以上の目標記入部と、
一の軸方向に年の順に配置し、該一の軸方向と直交する方向に月の配置した、複数の暦年に渡る月日を月毎に記したカレンダー部と、
前記目標記入部及び前記カレンダー部の使用方法を記した説明部と、を備え、
前記カレンダー部に記された各月のカレンダー下部には、前記目標記入部に記入される目標と関連する事項を記入するための余白が設けられていることを特徴とする複数暦年カレンダー。
【請求項２】
前記カレンダー部において、前記一の軸方向の両端部、中央部には、各月の見出しが記されていることを特徴とする請求項１に記載の複数暦年カレンダー。
【請求項３】
前記目標は、進学、資格取得、健康管理、資金運用、恋愛、マイホーム取得、起業計画、研究に関するスケジュールであることを特徴とする請求項１又は２に記載の複数暦年カレンダー。
【考案の詳細な説明】
【技術分野】
【０００１】
複数年に渡る目標を管理することができるカレンダーに関する。
【背景技術】
【０００２】
掲げる目標が大きくなる（複数になる）と単年度では達成できないことも多い。一方、目標管理においては、現時点から目標達成までの道程を目に見える形にすることが重要である。
【考案の概要】
【考案が解決しようとする課題】
【０００３】
そのような状況に鑑み、本考案では、目標達成まである程度の長い期間が必要な場合であっても、目標を可視化して目標達成までの道程を明らかにし、目標達成を支援することができる複数暦年カレンダーを提供することを目的とする。
【課題を解決するための手段】
【０００４】
開示する複数暦年カレンダーの一形態は、複数年を掛けて達成する目標を記入する１以上の目標記入部と、一の軸方向に年の順に配置し、該一の軸方向と直交する方向に月の配置した、複数の暦年に渡る月日を月毎に記したカレンダー部と、前記目標記入部及び前記カレンダー部の使用方法を記した説明部と、を備え、前記カレンダー部に記された各月のカレンダー下部には、前記目標記入部に記入される目標と関連する事項を記入するための余白が設けられていることを特徴とする。
【考案の効果】
【０００５】
開示する複数暦年カレンダーは、目標達成まである程度の長い期間が必要な場合であっても、目標を可視化して目標達成までの道程を明らかにし、目標達成を支援することができる。
【図面の簡単な説明】
【０００６】
【図１】本実施の形態に係る複数暦年カレンダーの一形態を示す図である。
【考案を実施するための形態】
【０００７】
図面を参照しながら、本考案を実施するための形態について説明する。
（本実施の形態に係る複数暦年カレンダーの構造）
図１を用いて、本実施の形態に係る複数暦年カレンダー１の構造について説明する。図１は、複数暦年カレンダー１の全体を示した図である。図１で示すように、複数暦年カレンダー１は、目標記入部１０、カレンダー部２０、説明部３０を備える。
【０００８】
目標記入部１０は、目標を記入するために使用する空欄であって、１以上の当該空欄を備えている。ここで、目標とは、複数年に渡り遂行・努力することによって達成することができる比較的大きな目標であり、例えば、進学、資格取得、健康管理、マネープラン、資金運用、恋愛、マイホーム取得、起業計画、研究事項等に関し、経時的なスケジュールである。
【０００９】
カレンダー部２０は、一の軸方向に年の順に配置し、当該一の軸方向と直交する方向に月の順に配置した、複数の暦年に渡る月日を月毎に記した部分（所謂、月別カレンダー）である。カレンダー部２０に含まれる月別カレンダーの下部には、目標記入部１０に記入した目標に関連した事項を記入するための余白４０が設けられている。ここで目標記入部１０に記入した目標に関連した事項とは、大きな目標達成までの小目標や目標達成までの途中経過であっても良く、目標達成に関する備忘記録であっても良い。また、カレンダー部２０における、年の順に配置する方向の両端部、中央部には、月別カレンダーの月見出しが設けられている。
説明部３０は、目標記入部１０、カレンダー部２０の使用方法に関する説明文が記されている部分である。
（本実施の形態に係る複数暦年カレンダーの使用方法）
【００１０】
図１を用いて、本実施の形態に係る複数暦年カレンダー１の使用方法について説明する。複数暦年カレンダー１の使用者は、はじめに説明部３０の説明書きに目を通す。次に使用者は、目標達成まで複数年が掛かると予想される比較的大きな目標を目標記入部１０に記入する。さらに使用者は、カレンダー部２０に設けられた余白４０に、目標記入部１０に記した目標を達成するまでの小目標を記入する。
【００１１】
そして、複数暦年カレンダー１の使用者は、月日の経過と共に起こる目標達成までの途中経過や目標達成に関する備忘記録を、カレンダー部２０に設けられた余白４０へ記入する。
【００１２】
こうすることで複数暦年カレンダー１は、目標達成まである程度の長い期間が必要な場合であっても、目標を可視化して目標達成までの道程を明らかにし、目標達成を支援することができる。
【００１３】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１４】
１    複数暦年カレンダー
１０  目標記入部
２０  カレンダー部
３０  説明部
４０  余白
５０  各月の見出し
【図１】
0003165899.tif 000003
(57)【要約】      （修正有）【課題】ワインや日本酒のボトルの口からの液だれを防止するリングを提供する。【解決手段】スポンジのリングを、ボトル上部に入れる。【選択図】図１
0003165849.tif 000002
【実用新案登録請求の範囲】
【請求項１】
ワインボトルや日本酒ボトルの上部に入れる、スポンジで作ったリング。
【考案の詳細な説明】
【技術分野】
【０００１】  本考案は、ワインや日本酒を飲む時、グラスに注いだ後のボトルの口からの液だれ防止に関する。
【背景技術】
【０００２】  従来、ワインや日本酒を飲む時、注いだ後、ボトルの口から液だれして、ボトル、更にはテーブル等が汚れ、見た目に悪かった。
【考案の概要】
【考案が解決しようとする課題】
【０００３】  ワインや日本酒を注いだ時の液だれは、ボトル、更にはテーブルを汚し、見た目にも悪いため、簡単かつオシャレに液だれをストップする。
【課題を解決するための手段】
【０００４】  ボトル上部にスポンジのリング入れるだけで、注いだ後の液だれは、その部分で吸収される。
【考案の効果】
【０００５】  上述したように、本考案の液だれストップリングは、確実にその部分で液だれをストップし、かつ見た目にもボトルのアクセントとなり、オシャレで、食卓が華やぐ。
【図面の簡単な説明】
【０００６】
【図１】  本考案をボトルに入れた実施形態。
【図２】  スポンジ生地の本考案
【考案を実施するための形態】
【０００７】  図１のようにスポンジで作ったリングを入れるだけ。
【実施例】
【０００８】  液だれは、本考案により上部でストップし、清潔感、又、おしゃれ感が味わえる。
【産業上の利用可能性】
【０００９】  ワインや日本酒を飲む時、液だれを気にせず、清潔面、オシャレ面で食卓を華やかにするため、利用の可能性が高い。
【図１】
0003165849.tif 000003
【図２】
0003165849.tif 000004
(57)【要約】      （修正有）【課題】煮汁を無駄にすることなく、手軽に確実に灰汁を除去することができる吸盤形灰汁吸着具を提供する。【解決手段】吸盤を設けた吸着面を、浮き上がってきた灰汁溜まりの部分に押し当てるだけで、灰汁と煮汁が混在して沸騰した気泡は、常温の吸着具によって冷却され、気泡は収縮し灰汁の表面張力の作用によって、灰汁を底面に吸着させて除去する。杓子の底面に、無数の凹んだ吸盤を形成する。【選択図】図１
0003165841.tif 000002
【実用新案登録請求の範囲】
【請求項１】
平面の底を有する、杓子の底面に無数の凹んだ吸盤（３）を、窪みの外周間の距離を極力小さく形成させた構造を特徴とする吸盤形灰汁吸着具。
【考案の詳細な説明】
【技術分野】
【０００１】  本考案は、煮物を調理する際、煮汁（７）の表面に浮いてくる灰汁（６）を、物理的原理によって吸盤面に吸着させて除去する道具の構造に関するものである。
【背景技術】
【０００２】  煮物を調理する際、煮汁（７）に抽出される灰汁（６）の混入は、味の品質を低下させるばかりでなく、不純物の体内摂取により健康に害を及ぼす可能性があり、灰汁（６）の除去は不可欠なものである。【０００３】  従来、煮物を調理する過程において、浮いてくる灰汁（６）を杓子や網杓子で掬ったりしていたが、同時に煮汁（７）まで掬ってしまい、灰汁（６）のみを掬うのは困難であった。【０００４】  また、複雑な構造をした、煮汁（７）と灰汁（６）を分離する器具や、アルミホイルに皺をつけて煮汁（７）に浸し、灰汁（６）のみを吸着させるもの等、色々な方法で行っていたが手軽に灰汁（６）を取り除く方法はなかった。
【考案の概要】
【考案が解決しようとする課題】
【０００５】  煮物を調理する際において、煮物から抽出される灰汁（６）は薄い膜状の物質で、煮汁（７）の成分とも大きな差は無いため、煮汁（７）と分離することは非常に困難であった。
【課題を解決するための手段】
【０００６】  煮物を調理する際、煮物の上面には食材から抽出された灰汁（６）と煮汁（７）の沸騰した蒸気泡（８）が混在して浮上し灰汁溜まりができる。【０００７】  平面の底を有する、杓子の底面に無数の凹んだ吸盤（３）を形成させて、その吸着具の底面を灰汁溜まりに押し当てると、灰汁（６）と煮汁（７）が混在して沸騰した約１００℃の蒸気泡（８）は、常温の約２０℃近い吸着面との温度差によって蒸気泡（８）は瞬間的に真空となり収縮し、粘度の大きい灰汁（６）のみが吸盤状の吸着面に表面張力によって吸着される。【０００８】  吸着した灰汁（６）は、別の容器に入れた水で濯ぐか、水道蛇口で洗い流し、それを繰り返すことにより、手軽に灰汁（６）を確実に除去することができる。【０００９】  また、吸着面の面積をできる限り大きくするため、窪みの外周間の距離を極力小さく形成させることが必要である。
【実施例】
【００１０】  本考案の吸盤形灰汁吸着具を試作し、実際に煮物調理に使用してみた。【００１１】  煮物を調理する過程において、沸騰してしばらくすると灰汁（６）が抽出され、中央または分散した箇所に灰汁溜まりが発生する。【００１２】  その灰汁溜まりに吸盤形灰汁吸着具を軽く押し当てると、灰汁溜まりは吸着具の底面に吸着され、引き上げて吸着具底面を観察すると灰汁（６）のみが吸着されて保持している。【００１３】  その吸着具底部に吸着した灰汁（６）を取り除くときは、水を入れた別の容器の中で濯ぐか、水道蛇口で洗い流す程度で、灰汁（６）は吸着具から取り除くことができ、これを繰り返すことにより灰汁を除去することができた。
【効果】
【００１４】  灰汁（６）は粘度が大きく、煮汁（７）は粘度が小さく、吸着具底部には粘度の大きい灰汁（６）のみが吸着し、煮汁（７）を無駄にすることなく、灰汁（６）のみを除去することができた。
【００１５】  また、灰汁溜まりの部分に灰汁吸着具底部を軽く押し当てるだけで、灰汁（６）が自動的に吸着するので簡単である。
【産業上の利用可能性】
【００１６】  外食産業での味品質の向上及び不純物除去による健康被害の軽減【００１７】  家庭調理での味品質の向上及び不純物除去による健康被害の軽減【００１８】  給食産業での味品質の向上及び不純物除去による健康被害の軽減【００１９】  製作する場合は、一般的な杓子の製作過程と同程度の技術で対応できる。
【図面の簡単な説明】
【図１】本考案の上面図である。
【図２】本考案の側面図である。
【図３】本考案の説明図で、第１図のＡ−Ａの５倍寸の断面図である。
【図４】本考案の説明図である。
【図５】本考案の使用例説明図である。
【符号の説明】符号（１）吸着具の縁である。
符号（２）吸着具の柄である。
符号（３）無数の凹んだ吸盤である。
符号（４）鍋である。
符号（５）煮汁表面である。
符号（６）灰汁である。
符号（７）煮汁である。
符号（８）蒸気泡である。
【図１】
0003165841.tif 000003
【図２】
0003165841.tif 000004
【図３】
0003165841.tif 000005
【図４】
0003165841.tif 000006
【図５】
0003165841.tif 000007
(57)【要約】      （修正有）【課題】危険性を軽減した包丁及びナイフを提供する。【解決手段】包丁及びナイフの本体の先端に切込み部Ｘを設け、刀身Ｂの切っ先に団子状突起物Ａを設けた。【選択図】図１
0003165846.tif 000002
【実用新案登録請求の範囲】
【請求項１】
突起物を刃の先端に装着したことを特徴とする包丁及びナイフ
【請求項２】
前記、突起物が一体的に固定されている事を特徴とする、請求項１記載の包丁及びナイフ
【考案の詳細な説明】
【技術分野】
【０００１】  本考案は、従来の包丁及びナイフに係り、詳しくは殺傷能力を軽減する事を旨とし、又、刀刃の持つ危険性の除去と使用上の注意喚起を促す為のものである。
【背景技術】
【０００２】  従来の包丁及びナイフは、その形状ゆえ、その考えそのものから極めて有害な商品である。【０００３】  しかし、現実には殺傷能力有した包丁及びナイフなどが未だ世の中に出回っており、危険極まりない。【０００４】  通常、包丁及びナイフは切る及び、刺すなどの機能を有しており、冷静に考えると、極めて危険なものである。【０００５】  そこで、危険度を除去する事が急務である。翻って考えますに各家庭、各種学校ならびに調理を伴う団体では、この事に無頓着である。
【考案の概要】
【考案が解決しようとする課題】
【０００６】  あってはならない事、事故や事件に対し、誰が責任を持つのか、誰が責任を取るのか、本発明は応えているものと考える。【０００７】  故に、これらの事案に鑑み、従来の包丁及びナイフに対する考察を一新し、新しい概念の元、本発明の必要性が求められる。【０００８】  通常、包丁及びナイフはその機能性ゆえ、先端は鋭利な形状になっており、このことからも極めて危険極まりない。【０００９】  他人を傷つける等、現代の包丁及びナイフが持つ危険性の除去が最も求められている現在、何とかしたいとの思いから、この発明に至ったものである。
【課題を解決するための手段】
【００１０】  そこで従来の包丁及びナイフが持つ殺傷能力の軽減が望まれる。これまで誰もがなしえなかった提案が求められている。【００１１】  先端に突起物を装着する事により、犯罪を未然に防ぐ効果がある。
【考案の効果】
【００１２】  本考案に係る包丁及びナイフは通常の切る及び刻むなどの機能性の追及ばかりで、殺傷能力の軽減はよそに置かれていた。
【図面の簡単な説明】
【００１３】
【図１】  本考案に係る包丁及びナイフの実施形態の鳥瞰図である。
【図２】  本考案に係る包丁及びナイフの側面から観た右側面図である。
【図３】  本考案に係る包丁及びナイフの上面から観た平面図である。
【考案を実施するための形態】
【実施例】
【００１４】  当該考案の試作品を製作いたしました。その結果今回の事案は決して間違いではないとの実感を得ました。【００１５】  以下、本考案の実施の形態を図１〜図３に基ずいて説明する。【００１６】  図１は、この考案の一実施形態を示すものでこの実施形態の包丁及びナイフＦは、鋼材等の金属製の刀身Ｂが設けられ、それに付随する形で、その先端にＡ団子状突起物を装着し、尚且、安全の確保の為、防犯予防のため、切り込み部Ｘを設けた。【００１７】  図２は、包丁及びナイフＦにはＥ刃が設けられ、安全の為、Ｘ切込み部を併設し、Ｄ柄を持って全体の形を成す。【００１８】  図３は、先端にＡ団子状突起物を装着し、又、Ｃ峰を併設し、Ｄ柄を持って全体の形を成す。【００１９】  Ｃ峰は魚の鱗、胡瓜の突起物の処理などに有効である。
【符号の説明】
【００２０】  Ａ…団子状突起物            Ｅ…刃
Ｂ…刀身                    Ｆ…包丁
Ｃ…峰                      Ｘ…切り込み部
Ｄ…柄
【図１】
0003165846.tif 000003
【図２】
0003165846.tif 000004
【図３】
0003165846.tif 000005
(57)【要約】      （修正有）【課題】調味料のたまり場を有する弁当箱の蓋を提供する。【解決手段】弁当箱の蓋の内側の一部に凹型のくぼみを形成する。蓋は透明のプラスチックシートを真空成型等により成型される。【選択図】図２
0003165805.tif 000002
【実用新案登録請求の範囲】
【請求項１】
プラスチック製の弁当箱の蓋の内側を上向きにしたときに凹型の、底面が平坦であるか、または底面が半球・半楕円体または直方体半切の受け皿となる形を付与することを特徴とする。その位置は蓋がされたときにライスに対応する箇所に設けられるものである。
【請求項２】
その形の数は一つまたはそれ以上であり蓋の内側の任意の位置に設けられ、食事の際に好みによって調味料が入れられるためのものである。
【請求項３】
弁当箱の蓋は真空成型等の手段によって成型されるものであり、多くの場合透明の薄いプラスチックシートが用いられるが不透明であってもよい。
【考案の詳細な説明】
この考案は、弁当箱の蓋特にプラスチックの薄いシートを真空成型等で成型されたものの工夫に関するものである。
駅内売店やスーパーマーケットなどの食料品を扱うコーナーにおいて販売されている弁当箱は薄肉のプラスチックを真空成型等の方法で成型されたものが用いられていることが多い。その中には、通常副食にかけたりするために醤油・ソース・ケチャップなどの調味料が添えられている。しかし、一般の食卓において調味料を用いるときに使われる小皿が添えられた弁当箱はなくまたその必要も無いと考えられているのが一般であろう。醤油・ソース・ケチャップ・マヨネーズなどは直接副食にかければよいとの考えも当然成り立つ。しかし、微妙な食感を味わうことが楽しかるべきそして生活・生命を維持する食事に対する思いであると考えるのもまた自然である。
考案者は上述の弁当箱について、提案を行うものであって特に弁当箱の蓋に工夫をしたものである。この種の弁当箱の蓋は薄い、場合によっては透明のプラスチックが用いられる。この蓋の内側に一つ、またはそれ以上のくぼみを設けることを特徴とするものである。そのくぼみは蓋の内側を上向きに置いたときに凹型になるものであって実用上皿と同様の役目をするものである。その形は底面の平坦な半球またはそれに近いものが好ましいが、凹型の半楕円体・直方体半切または短冊形のものも用いることが出来る。一つ以上のくぼみを設けるのは、異なる種類の調味料を入れるためでありその数は特に限定されるものではない。亦、そのサイズは３ｃｍ〜５ｃｍが好ましいがこれに限定されるものではない。またそのくぼみの蓋における位置も任意であるが、蓋がされたときにライスに対応する箇所に設けることが好ましい。副食に対応する箇所には副食の調味料などが付着している可能性があるからである。くぼみは蓋の外側に設けることも可能であるが、衛生的な観点から内側が自然であろう。
図１は従来法による弁当箱の蓋の断面図である。これに対して図２はこの考案の弁当箱の蓋の断面図の一例である。
【図１】
0003165805.tif 000003
【図２】
0003165805.tif 000004
【手続補正書】
【提出日】平成22年10月21日(2010.10.21)
【手続補正１】
【補正対象書類名】実用新案登録請求の範囲
【補正対象項目名】全文
【補正方法】変更
【補正の内容】
【実用新案登録請求の範囲】
【請求項１】
プラスチック製の弁当箱の蓋の内側を上向きにしたときに、蓋の内側の一部に凹型のくぼみを形成することによって調味料の溜まり場として用いることを特徴とする弁当箱の蓋。
【請求項２】
その形の数は一つまたはそれ以上であり蓋の内側の任意の位置に設けられ、食事の際に好みによって調味料が入れられるためのものである請求項１記載の弁当箱の蓋。
【請求項３】
弁当箱の蓋は真空成型等の手段によって成型されるものであり、多くの場合透明の薄いプラスチックシートが用いられる請求項１記載の弁当箱の蓋。
【手続補正２】
【補正対象書類名】明細書
【補正対象項目名】全文
【補正方法】変更
【補正の内容】
【考案の詳細な説明】
【０００１】この考案は、弁当箱の蓋特にプラスチックの薄いシートを真空成型等で成型されたものの工夫に関するものである。
駅内売店やスーパーマーケットなどの食料品を扱うコーナーにおいて販売されている弁当箱は薄肉のプラスチックを真空成型等の方法で成型されたものが用いられていることが多い。その中には、通常副食にかけたりするために醤油・ソース・ケチャップなどの調味料が添えられている。しかし、一般の食卓において調味料を用いるときに使われる小皿が添えられた弁当箱はなくまたその必要も無いと考えられているのが一般であろう。醤油・ソース・ケチャップ・マヨネーズなどは直接副食にかければよいとの考えも当然成り立つ。しかし、微妙な食感を味わうことが楽しかるべきそして生活・生命を維持する食事に対する思いであると考えるのもまた自然である。
考案者は上述の弁当箱について、提案を行うものであって特に弁当箱の蓋に工夫をしたものである。この種の弁当箱の蓋は薄い、場合によっては透明のプラスチックが用いられる。この蓋の内側に一つ、またはそれ以上のくぼみを設けることを特徴とするものである。そのくぼみは蓋の内側を上向きに置いたときに凹型になるものであって実用上皿と同様の役目をするものである。その形は底面の平坦な半球またはそれに近いものが好ましいが、凹型の半楕円体・円筒・箱型直方体または短冊形のものも用いることが出来る。一つ以上のくぼみを設けるのは、異なる種類の調味料を入れるためでありその数は特に限定されるものではない。亦、そのサイズは円形の場合直径５ｃｍ〜７ｃｍ程度が好ましいがこれに限定されるものではない。
【図面の簡単な説明】
【０００２】
【図１】は従来法による弁当箱の蓋の断面図である。
【図２】はこの考案の弁当箱の蓋の断面図の一例である。
【図３】はこの考案の弁当箱の蓋の見取図であり、Ａ−Ａで示された断面が図２である。底面は平坦もしくは凹レンズ形であり、斜面は垂直であってもよい。また、矢印で示されたＨはたまり場の高さであるが、直径７０ｍｍの円筒をたまり場に使用するとすれば、Ｈが３ｍｍで  ３５２×３．１４×３＝１１，５４０ｍｍ３  約１０ｍｌの調味料を収容することができる。
【手続補正３】
【補正対象書類名】図面
【補正対象項目名】全図
【補正方法】変更
【補正の内容】
【図１】
0003165805.tif 000005
【図２】
0003165805.tif 000006
【図３】
0003165805.tif 000007
(57)【要約】      （修正有）【課題】安易に金属パイプ管体の気密試験が行え、検査物対象製品を傷つけないように管体を密閉することを可能にする管体気密試験装置を提供する。【解決手段】金属パイプ管体１の開口部を閉鎖する為に、金属パイプ管体１に、管体クランプ左２と管体クランプ右３をかみ合わせる。管体クランプ左２及び管体クランプ右３の外側周上に形成される上蓋スライド式パッキン締め付け治具４と、上蓋８の内側周上に形成され、回転方向が斜めの形状の管体クランプスライド式パッキン締め付け治具５を勘合する。上蓋８をはめ込んで回転させ、管体クランプスライド式パッキン締め付け治具５が上蓋スライド式パッキン締め付け治具４と接触して、斜めの部分でスライドしロックされ、金属パイプ管体１は上蓋８の内側のパッキン７に押し付けられ、金属パイプ管体１の内部を密閉する。【選択図】図８
0003165802.tif 000002
【実用新案登録請求の範囲】
【請求項１】
金属パイプ管体１の開口部を閉鎖する為に当該金属パイプ管体１に、管体クランプ左２と管体クランプ右３をかみあわせ、更に当該かみあわせた管体クランプ１の上蓋８をはめ込んで上蓋ハンドル９または取手を回転させ、図５の上蓋スライド式パッキン締め付け治具４と管体クランプスライド式パッキン締め付け治具５の斜めの部分をスライドさせて、ロックすることにより、当該金属パイプ管体内部を密閉する装置。
【考案の詳細な説明】
【技術分野】
【０００１】
本考案は、金属パイプ管体溶接部の気密試験に関するものである。
【考案の概要】
【考案が解決しようとする課題】
【０００２】
解決しようとする問題点は、金属パイプ管体と継手を接続している溶接部分の気密試験が行え、試験物対象製品を傷つけないように金属パイプ管体と継手部分を簡単に密閉することを可能にするものである。
【課題を解決するための手段】
【０００３】
本考案は、管体に形成された凸部(ブローティング処理)にドーナツ状の管体クランプ左、管体クランプ右と上蓋を重ね合わせ、金属パイプ管体に過度な力を有することなく、金属パイプ管体開口部分を密閉できることを特徴とする。
【考案の効果】
【０００４】
本考案の気密装置は、当該金属パイプ管体が開口されている製品の溶接部の気密試験を可能にし、簡単かつ傷つけることがないという利点がある。
【図面の簡単な説明】
【０００５】
【図１】管体アンクランプ状態上面図
【図２】管体アンクランプ状態側面図
【図３】上蓋側面図
【図４】管体クランプ側面図
【図５】上蓋管体クランプセット図
【図６】上蓋管体クランプ回転図
【図７】組付完成図
【図８】水没状態図
【考案を実施するための形態】
【０００６】
以下、図面を参照しつつ本考案を実施する為の最良の形態を説明する。
【０００７】
まず初めに、金属パイプ管体はブローティング（膨らまし）処理した製品を使用します。図１や図２のように当該金属パイプ管体１を中央に配置し、その両サイドに管体クランプ左２と、管体クランプ右３を配置する。
【０００８】
図４のように管体クランプ左２と、管体クランプ右３をかみあわせる。更に当該金属パイプ管体１にかみあわせた管体クランプ左２と、管体クランプ右３に上蓋８をはめ込み図５の状態にし、上蓋ハンドル９または取手や丸い棒状のもの等を使い、図６のとおり回転させロックすることにより、当該金属パイプ管体１の内部を密閉する。
【０００９】
密閉された状態で、エアー圧力入口図７の１５より圧力をかけ、更に、水没させることにより気泡が溶接部１６より出ないことが確認できる。
【実施例】
【００１０】
当該文献は当該金属パイプ管体に管体気密試験装置を設置した後に、図７のエアー圧力入口１５より、開口部より圧力をかけて溶接部の検査を行う。
【００１１】
更に、当該金属パイプ管体の管体気密試験装置側、図７の１３から圧力をかけても、気密試験が行われるものとする。
【産業上の利用可能性】
【００１２】
管体気密試験装置で試験を行うことにより、作業性の向上を図ると共に、安全にかつ金属パイプ管体に傷を付けることなく気密試験が行えるのである。
【符号の説明】
【００１３】
１          金属パイプ管体
２          菅体クランプ左
３          菅体クランプ右
４          上蓋スライド式パッキン締め付け治具
５          管体クランプスライド式パッキン締め付け治具
６          締め付け調整用板
７          パッキン
８          上蓋
９          上蓋ハンドル
１０        菅体クランプハンドル
１１        位置決めピン
１２        締め付け調整用板高さ調整ねじ
１３        クランプ側エアー圧力入口側
１４        溶接本体
１５        エアー圧力入口
１６        溶接部
１７        水槽
【図１】
0003165802.tif 000003
【図２】
0003165802.tif 000004
【図３】
0003165802.tif 000005
【図４】
0003165802.tif 000006
【図５】
0003165802.tif 000007
【図６】
0003165802.tif 000008
【図７】
0003165802.tif 000009
【図８】
0003165802.tif 000010
【手続補正書】
【提出日】平成22年8月23日(2010.8.23)
【手続補正１】
【補正対象書類名】実用新案登録請求の範囲
【補正対象項目名】全文
【補正方法】変更
【補正の内容】
【実用新案登録請求の範囲】
【請求項１】
金属パイプ管体１の開口部を閉鎖する為に当該金属パイプ管体１に、管体クランプ左２と管体クランプ右３をかみあわせ、更に当該かみあわせた管体クランプ１の上蓋８をはめ込んで上蓋ハンドル９または取手を回転させ、上蓋スライド式パッキン締め付け治具４と管体クランプスライド式パッキン締め付け治具５の斜めの部分をスライドさせて、ロックすることにより、当該金属パイプ管体内部を密閉する装置。
【手続補正書】
【提出日】平成22年10月6日(2010.10.6)
【手続補正１】
【補正対象書類名】実用新案登録請求の範囲
【補正対象項目名】全文
【補正方法】変更
【補正の内容】
【実用新案登録請求の範囲】
【請求項１】
金属パイプ管体１の開口部を閉鎖する為に当該金属パイプ管体１に、管体クランプ左２と管体クランプ右３をかみ合わせ、更に当該管体クランプ左２及び管体クランプ右３の外側周上に形成された突起部である上蓋スライド式パッキン締め付け治具４と、上蓋８の内側周上に形成された回転方向が斜めの形状を有した突起部である管体クランプスライド式パッキン締め付け治具５を勘合し、更に、上蓋８をはめ込んで回転させ管体クランプスライド式パッキン締め付け治具５が上蓋スライド式パッキン締め付け治具４と接触して斜めの部分でスライドしロックされ当該金属パイプ管体１は上蓋８の内側のパッキン７に押し付けられ、当該金属パイプ管体１の内部を密閉する装置。
(57)【要約】      （修正有）【課題】カレー等の固体ルーを鍋で溶かす時、必要量を一度に溶かすことができ、時間がかからず、片手で溶かす事ができる調理器具を提供する。【解決手段】調理器具本体１にボックス２を設けることで一度に多数の固体を入れる事が出来て網目の穴で早く溶かす事が出来、溶け残りも無くなり鍋の底に焦げ付かなくなる。調理器具本体１が二つ折りなので片手で溶かせて溶け状態も確認も出来るようになった。【選択図】図１
0003165806.tif 000002
【実用新案登録請求の範囲】
【請求項１】
固体を入れるボックスを設けた事を特微とする調理器具。
【請求項２】
前記の固体を入れるボックスに網目の穴をあけてある事を特徴とする調理器具。
【請求項３】
本体を二つ折にする事を特徴とする調理器具。
【考案の詳細な説明】
【技術分野】
【０００１】本発明はカレーやシチューの固体ルーを溶かす時に関する。
【背景技術】
【０００２】従来は固体のルーを溶かす特別の調理器具が無き、オタマの中で箸等でかき回したり直接、鍋に入れかき回すなどぐらいしかなかった。
【考案の概要】
【考案が解決しようとする課題】
【０００３】従来はオタマなどで溶かすと少量しか溶かせなく時間がかかり、両手もふさがり不便で直接、固体のルーを鍋に入れると鍋底に残ったり溶けきれなく固体のまま残ったりしていた。
【発明が解決しようとする手段】
【０００４】以上の課題を解決するために、第一発明は、二つ折りの固体のルーを入れるボックスを設けたことを特徴とする。
また、第二発明は、固体のルーを入れたボックスに網目上の穴を両面に特徴とする固体を溶かす調理器具である。
【発明の効果】
【０００５】第一発明でボックスを設けることで従来以上、固体のルーを一度に多数溶かせるようになり第二発明でボックスに網目上の穴を設けることで固体のルーを早く溶かす事が出来て溶け状態も分かりやすくなる。
【図面の簡単な説明】
【０００６】
【図１】この発明の一実施形態を示す固体を入れる時の開いた時の図である。
【図２】固体を入れて溶かす時の斜視図である。
【考案を実施するための形態】
【０００７】この発明の一実施形態を、図１に示す。
この調理器具の本体１はプラスチック製で二つ折りあり、固体を入れるボックス２が一体的に設けられている。
このボックス２には網目の穴３が設けられている。
【実施例】
【０００８】図１の実施形態では、ボックス２に固体ルーを入れ本体１を二つ折りにたたみ
図２のようにして網目３から固体から液体に溶かして出します。
【符号の説明】
【０００９】１  固体を溶かす二つ折り調理器具本体  ２  固体を入れるボックス
３  本体に固体を入れ二つ折にして、使う時の状態
【図１】
0003165806.tif 000003
【図２】
0003165806.tif 000004
【手続補正書】
【提出日】平成22年10月1日(2010.10.1)
【手続補正１】
【補正対象書類名】実用新案登録請求の範囲
【補正対象項目名】全文
【補正方法】変更
【補正の内容】
【実用新案登録請求の範囲】
【請求項１】
棒（取っ手）の先端に固体ルーを入れるボックスを特徴とする調理器具。
【請求項２】
前記の固体ルーを入れるボックスに網目の穴をあけてある事を特徴とする請求項１記載の調理器具。
【請求項３】
前記の固体ルーを入れるボックスを二つ折にする事を特徴とする請求項１記載の調理器具。
(57)【要約】      （修正有）【課題】使用のたびに、量る必要が無くなり、瓶の中で液体が硬化した破片を誤ってスポンジに付け自動車のボディを傷つけてしまうことも無くなるコーティング剤を提供する。【解決手段】自動車のボディコーティングにおいて、液剤を車１台分づつ注射器状の容器に入れることにより適量を使用でき、１台分づつの使いきりの為、封を開けた残りの液剤が硬化することがない。コーティング剤１台分を注射器状の容器に空気が入らないように入れ、ゴム栓をし、使いきりの状態にし、その容器をビニールで真空パックする。【選択図】図１
0003165809.tif 000002
【実用新案登録請求の範囲】
【請求項１】
自動車ボディのコーティング液剤を注射器状の容器にいれること。
【請求項２】
自動車ボディのコーティング液剤を注射器状の容器にいれ、抽出口をゴム栓し、真空パックすること。
【請求項３】
自動車ボディのコーティング液剤を注射器状の容器にいれ、抽出口をゴム栓し、真空パックし、製造・販売すること。
【考案の詳細な説明】
【技術分野】
【０００１】本考案は、自動車ボディのコーティング剤を１台分、注射器状の容器（針は必要ない）に入れ、押出口をゴム栓し、真空パックすることである。
【背景技術】
【０００２】従来の自動車ボディコーティング剤は、４台〜５台分の液体が瓶に入っており、開封後、空気に触れてしまう為、数日後、次の自動車コーティング時に瓶の中の液体表面が硬化している場合がある。
【考案の概要】
【考案が解決しようとする課題】
【０００３】以上の技術によれば、非常に使用が困難で、且つ、どのくらい使用したのかが分かりにくい。また、コーティング剤はスポンジに含ませて使用するが、瓶の淵や、中から液体が硬化した固体状の破片をスポンジに取り、そのまま分からずに、磨いてしまう為に、自動車のボディに傷を付けてしまう恐れがある。
【課題を解決するための手段】
【０００４】以上の課題を解決する為に、コーティング剤１台分を注射器状の容器に空気が入らないように入れ、ゴム栓をし、使いきりの状態にし、その容器をビニールで真空パックする。
【考案の効果】
【０００５】以上の手段を用いることにより、開封後、１台使いきりの形状なので、使用のたびに、量る必要が無くなり、瓶の中で液体が硬化した破片を誤ってスポンジに付け自動車のボディを傷つけてしまうことも無くなる。
【考案を実施するための形態】
【０００６】この考案の一実施形態を図１・図２に示す。コーティング液剤が入る容器の素材は、中の液剤が確認できる透明のプラスチックとする。また、ビニールに入れ、真空包装機に掛けて、真空パックを行う。
【実施例】
【０００７】この実施形態によれば、図２のように、注射器状の容器に１ｃｃづつメモリが入っている為、１台分のコーティング液剤が５ｃｃの場合、現在どれだけ使用したかが、作業をしながら確認が可能で使い勝手が大変良い。
【図１】
0003165809.tif 000003
【図２】
0003165809.tif 000004
【手続補正書】
【提出日】平成22年11月9日(2010.11.9)
【手続補正１】
【補正対象書類名】実用新案登録請求の範囲
【補正対象項目名】全文
【補正方法】変更
【補正の内容】
【実用新案登録請求の範囲】
【請求項１】
自動車ボディのコーティング液剤を入れた注射器状の容器。
【請求項２】
自動車ボディのコーティング液剤を注射器状の容器に入れ抽出口をゴム栓し、真空パックした物。
【手続補正２】
【補正対象書類名】明細書
【補正対象項目名】全文
【補正方法】変更
【補正の内容】
【考案の詳細な説明】
【技術分野】
【０００１】本考案は、自動車ボディのコーティング剤を１台分、注射器状の容器（針は必要ない）に入れ、押出口をゴム栓し、真空パックすることである。
【背景技術】
【０００２】従来の自動車ボディコーティング剤は、４台〜５台分の液体が瓶に入っており、開封後、空気に触れてしまう為、数日後、次の自動車コーティング時に瓶の中の液体表面が硬化している場合がある。
【考案の概要】
【考案が解決しようとする課題】
【０００３】以上の技術によれば、非常に使用が困難で、且つ、どのくらい使用したのかが分かりにくい。また、コーティング剤はスポンジに含ませて使用するが、瓶の淵や、中から液体が硬化した固体状の破片をスポンジに取り、そのまま分からずに、磨いてしまう為に、自動重のボディに傷を付けてしまう恐れがある。
【課題を解決するための手段】
【０００４】以上の課題を解決する為に、コーティング剤１台分を注射器状の容器に空気が入らないように入れ、ゴム栓をし、使いきりの状態にし、その容器をビニールで真空パックする。
【考案の効果】
【０００５】以上の手段を用いることにより、開封後、１台使いきりの形状なので、使用のたびに、量る必要が無くなり、瓶の中で液体が硬化した破片を誤ってスポンジに付け自動車のボディを傷つけてしまうことも無くなる。
【考案を実施するための形態】
【０００６】この考案の一実施形態を図１・図２に示す。コーティング液剤が入る容器の素材は、中の液剤が確認できる透明のプラスチックとする。また、ビニールに入れ、真空包装機に掛けて、真空パックを行う。
【実施例】
【０００７】この実施形態によれば、図２のように、注射器状の容器に１ｃｃづつメモリが入っている為、１台分のコーティング液剤が５ｃｃの場合、現在どれだけ使用したかが、作業をしながら確認が可能で使い勝手が大変良い。
【図面の簡単な説明】
【０００８】
【図１】立体図  自動車ボディのコーティング剤を注射器状の容器に入れ、抽出口をゴム栓をし、ビニールで真空パックした状態。
【図２】平面図  自動車ボディのコーティング液剤を５ｃｃ、半透明な注射器状の容器に入れ、抽出口をゴム栓した状態。真空パックの処理前。
(57)【要約】【課題】果物、野菜、魚介類など目的の形状をなす趣向を凝らした子供向きの豆腐を提供する。【解決手段】容器１の底辺２に、果物、野菜、魚介類の図案に応じた凹凸を施し、また、蓋にも同様に図案の凹凸を施す。蓋の四方はエリ５を立ち上げるようにする。該容器に豆腐の液を流し込み凝結させ、目的の形状をなした豆腐を得る。なお、容器の縁３にフイルムを貼り塞いで保健衛生を保つ。つぎに、容器から図案化した豆腐を取り出し、表面を食油で揚げて処理し、容積の縮んだ豆腐は、それに見合った容器に入れ、縁にフイルムを貼って塞ぐ。【選択図】図１
0003165808.tif 000002
【実用新案登録請求の範囲】
【請求項１】
容器の底辺と蓋に果物、野菜、魚介類の図案化した目的の凹凸を施し、容器の縁にフイルムを貼って塞ぐパッケージの構造。
【請求項２】
容器から図案化した豆腐を取り出し、表面を食油で揚げて処理し、容積の縮んだ豆腐は、それに見合った容器に入れ、縁にフイルムを貼って塞ぐ請求項１記載のパッケージの構造。
【請求項３】
図案化した豆腐は、それに見合う着色を施す請求項１記載のパッケージの構造。
【請求項４】
図案化した豆腐に砂糖など甘味料のほか香料を添加し、図案化した果実類などに施す請求項１又は３記載のパッケージの構造。
【請求項５】
凹凸を施した蓋がエリ付きである請求項１記載のパッケージの構造。
【考案の詳細な説明】
【技術分野】
【０００１】  本案はパッケージの構造により図案の形状をなした豆腐である。
【背景技術】
【０００２】  豆腐は四角というのが一般の常識であった。適当に切って料理した。
【考案の概要】
【考案が解決しようとする課題】
【０００３】  果物、野菜、魚介類など目的の形状をなす趣向を凝らした子供向きの豆腐である。
【課題を解決するための手段】
【０００４】  果物、野菜、魚介類など目的の形状をなす容器に豆腐の液を流し込み凝結させる。【０００５】  容器から取り出した図案形状の豆腐の表面を食油で揚げる。【０００６】  図案化した豆腐は、それに見合う着色を施す。【０００７】  図案化した豆腐に砂糖など甘味料のほか香料を添加し、子供の好む食品にする。特に図案化した果実類などに施す。
【考案の効果】
【０００８】  肉類のとりすぎは身体を酸性にするといわれている。陸のたんぱく質、大豆食品を成長期の子供たちに食べさせる。【０００９】  味覚だけに頼らず視覚も重きをおき子供らの食欲増進を図った。【００１０】  豆腐そのものに味はない。数種類のなかのそれぞれ好みのタレをかけて食べる。このように視覚が食卓を豊かにし、料理はより手軽である。
【図面の簡単な説明】
【００１１】
【図１】容器の側面図である。
【図２】容器の平面図である。
【図３】エリを立ち上げた蓋の側面図である。
【図４】蓋の側面図である。
【図５】カニ
【図６】ハマグリ
【図７】リンゴ
【図８】トマト
【図９】ブドウ
【図１０】ナス
【図１１】カボチャ
【図１２】クジラ
【図１３】イカ
【図１４】タコ
【考案を実施するための形態】
【００１２】  以下、添付地面に従って実施例を説明する。容器１の底辺２は、果物、野菜、魚介類の図案化し目的とする凹凸を施す。蓋４も底２同様の図案の凹凸を施す。蓋４の四方にエリ５を立ち上げる。容器１の縁３にフイルムを貼り塞いで保健衛生を保つ。
【００１３】  蓋６も図案の凹凸を施し、容器１の縁３にフイルムで貼り塞いで保健衛生を保つ。
【００１４】  容器１から図案化した豆腐を取り出し、表面を食油で揚げて処理し、容積の縮んだ豆腐は、それに見合った容器１に入れ縁３にフイルムを貼って塞ぐ。
【符号の説明】
【００１５】    １  容器
２  底
３  縁
４  エリを立ち上げた蓋
５  エリ
６  蓋
７  カニ
８  ハマグリ
９  リンゴ
１０  トマト
１１  ブドウ
１２  ナス
１３  カボチャ
１４  クジラ
１５  イカ
１６  タコ
【図１】
0003165808.tif 000003
【図２】
0003165808.tif 000004
【図３】
0003165808.tif 000005
【図４】
0003165808.tif 000006
【図５】
0003165808.tif 000007
【図６】
0003165808.tif 000008
【図７】
0003165808.tif 000009
【図８】
0003165808.tif 000010
【図９】
0003165808.tif 000011
【図１０】
0003165808.tif 000012
【図１１】
0003165808.tif 000013
【図１２】
0003165808.tif 000014
【図１３】
0003165808.tif 000015
【図１４】
0003165808.tif 000016
【手続補正書】
【提出日】平成22年11月11日(2010.11.11)
【手続補正１】
【補正対象書類名】実用新案登録請求の範囲
【補正対象項目名】全文
【補正方法】変更
【補正の内容】
【実用新案登録請求の範囲】
【請求項１】
容器の底辺に果物、野菜、魚介類を図案化し、その図案化された果物、野菜、魚介類の実物の形状に応じた凹凸を施したことを特徴とするパッケージ。
【請求項２】
果物、野菜、魚介類の図案化し、その図案化された果物、野菜、魚介類の実物の形状に応じた凹凸を施した豆腐を取り出し、その表面を食油で揚げて処理した豆腐を入れたことを特徴とする請求項１に記載のパッケージ。
【請求項３】
果物、野菜、魚介類の図案化し、その図案化された果物、野菜、魚介類の実物の形状に応じた凹凸を施した豆腐に、それに見合う着色を施し、その豆腐を入れたことを特徴とする請求項１に記載のパッケージ。
【請求項４】
砂糖、甘味料、香料を添加した豆腐をリンゴ、ブドウなどの果物の形状にし、その豆腐を入れたことを特徴とする請求項１に記載のパッケージ。
【請求項５】
パッケージにエリが付いていることを特徴とする請求項１〜４のいずれかに記載のパッケージ。
(57)【要約】      （修正有）【課題】就寝時の防寒及び保温の効果があり、ずれ落ちにくい寝具用補助具を提供する。【解決手段】あごの下から胸元付近及び左右の肩までを覆うことができる広さの布地に、腕を通すことができるような腕通し部分と、その先端に手の指先を出せるような穴の部分をつけた。【選択図】図１
0003165879.tif 000002
【実用新案登録請求の範囲】
【請求項１】
あごの下から胸元付近及び左右の肩までを覆うことができる広さの布地に、腕を通すことができるような腕通し部分と、その先端に手の指先を出せるような穴の部分をつけたことを特徴とする寝具用補助着。
【考案の詳細な説明】
【技術分野】
【０００１】
本考案は、就寝時や就寝中における身体の防寒、保温などのための、寝具用補助着に関する。
【考案の概要】
【考案が解決しようとする課題】
【０００２】
従来就寝時に着用するパジャマには、次のような解決すべき課題があった。
（１）体の前でボタンをかけるなどの方法によるパジャマは、襟元が開いているかもしくは丸首のため、就寝時及び就寝中に、かけふとんと肩口の間に隙間ができ、そこから冷気が浸入してくることがある。
（２）袖口も開いているため、寝たままで本を読んでいると袖がずり落ち、腕が露出してきて腕や手首などが冷え、全身にまで寒さが及ぶことがある。
【課題を解決するための手段】
【０００３】
本考案は以上の点を解決するために、次のような構成を採用する。
（構成１）
あごの下から胸元、更には左右の肩までを覆うことができるような一枚の布地に、腕を通す袖をつけたことを特徴とする寝具用補助着。
【０００４】
（構成２）
袖の先端に、指先だけを出せる穴をつけたことを特徴とする寝具用補助着。
【０００５】
（構成３）
起き上がった時や立ち上がった時にずれ落ちないように、留め部分をつけたことを特徴とする寝具用補助着。
【考案の効果】
【０００６】
本考案のエプロン形状型寝具用補助着には次のような効果がある。
（実施例１と実施例２の共通の効果）
（１）一枚ものにした布地を、あごの下から胸元、更に左右の肩まで広げ、同布地の中央付近より下部に腕の挿入口を設けた袖に、腕を通すと布地があごの下へ自然に押し上げられ、喉の辺りに布地が溜まると同時に左右の肩口をも覆うこととなるなど、あたかも首に襟巻きを着用したかのようになり、体の防寒及び保温の効果が図られる。
（２）腕を通す袖をつけ、そこに腕を通すことで就寝時や就寝中にずれ落ちる心配がない。
（３）袖の先端に指先だけを出せる穴をつけ、そこから指先を出すと、腕や手首が露出することもなく、寝たままで読書などができる。
（４）一枚ものとした布地の内側に、留める部分を設け、首のうしろで留めておくと、起き上がったときでも、ずり落ちることはない。
【図面の簡単な説明】
【０００７】
【図１】エプロン形状型寝具用補助着の外側を真上から見た全体図
【図２】エプロン形状型寝具用補助着の内側を真上から見た全体図
【考案を実施するための形態】
【０００８】
以下本考案を図の具体例を用いて詳細に説明する。
【実施例１】
【０００９】
以下の説明で、実施例１は構成（１）、構成（２）及び構成（３）に対応する。
図１に、本考案のエプロン形状型寝具用補助着の外側を真上から見た全体図を示す。
図は、本体部分１、腕通し部分２、手の指先を出す部分３とから構成されている。
【００１０】
以上のエプロン形状型寝具用補助着は次のようにして使用する。
就寝する際、かけふとんに入ってから、本体部分１の上辺中央、縁部分をあごの下から胸元に当て、更に本体部分１の上辺両端を左右の肩に添って広げる。腕は腕通し部分２に通して着用する。こうすることにより腕通し部分２よりも上部にある布地が、自然にあごの下に溜まると同時に、左右の同布地も肩口全体を覆うこととなり、防寒対策並びに保温上にも高い効果が図られる。
手の指先を出す部分３は、読書でページをめくる際や物を掴む場合など必要に応じて指先だけを出すことができ、体温低下の防止が図られる。
【００１１】
図２は、本考案のエプロン形状型寝具用補助着の内側を真上から見た全体図を示しているが、起き上がる場合のずり落ちを防ぐため、首のうしろでおさえられるよう、留め部分４を図示したものであり、したがって起きる時や、立ち上がる場合には留め部分４を使用すると、ずり落ちるのが防げられる。
【符号の説明】
【００１２】
１  本体部分
２  腕通し部分
３  手の指先を出す部分
４  留め部分
【図１】
0003165879.tif 000003
【図２】
0003165879.tif 000004